(57)【要約】      （修正有）【課題】独立照明灯具とランプに両用できる発光ダイオード照明灯具を提供する。【解決手段】ＬＥＤ発光モジュール２０は散熱体であるベース１０に結合され、ベース１０はＬＥＤ発光モジュール２０を固定して散熱し、制御回路３０はベース１０に結合し、しかも制御回路３０はＬＥＤ発光モジュール２０の電源配線を連結し、これによりＬＥＤ発光モジュール２０は点灯、消灯を行う。また、電気コネクター４０はベース１０両端にそれぞれ設置、外部電源と連結され、さらに、制御回路３０の電源入力端を連結する。押し動かし装置５０はベース１０両端にそれぞれ設置し、各電気コネクター４０にそれぞれ連接される。これにより電気コネクター４０を押し、ベース１０内に戻し独立した照明灯具を形成し、或いは電気コネクター４０はベース１０外へと伸び出て、ランプを形成する。【選択図】図２
0003165296.tif 000002
【実用新案登録請求の範囲】
【請求項１】
少なくとも１個のベース、少なくとも１個のＬＥＤ発光モジュール、少なくとも１個の制御回路、少なくとも１対の電気コネクター、少なくとも１対の押し動かし装置を備え、
前記ベースは、頂点面に、少なくとも１個の連結部を形成し、内部には、少なくとも１個の収容設置溝を形成し、
前記少なくとも１個のＬＥＤ発光モジュールは、前記ベースの連結部上に結合され、
前記少なくとも１個の制御回路は、ＬＥＤの点灯及び消灯の制御、電源転換の機能を備え、前記制御回路は、前記ベースに結合し、前記制御回路は、前記ＬＥＤ発光モジュールに連結し、これにより前記ＬＥＤ発光モジュールは、前記制御回路の制御を受け、点灯／消灯操作を行い、前記制御回路は、前記ＬＥＤ発光モジュールが必要な直流作動電源を提供し、こうして前記ＬＥＤ発光モジュールは発光し、
前記少なくとも１対の電気コネクターは、前記ベース内部の収容設置溝両端に収容設置し、前記電気コネクターは、前記制御回路の電源入力端に連結し、これにより前記電気コネクターは、外部の交流、或いは直流電源に連結し、こうして交流、或いは直流電源を、前記制御回路の電源入力端に提供し、
前記少なくとも１対の押し動かし装置は、前記ベース両端に設置し、前記押し動かし装置は、前記各電気コネクターに対応して連結し、これにより前記電気コネクターを押し、前記収容設置溝の直線軌道に沿って運動させ、こうして前記電気コネクターは前記ベースの収容設置溝内に戻り、或いは前記電気コネクターは前記ベースの収容設置溝外へと伸び出る状態を呈することを特徴とする両用発光ダイオード照明灯具。
【請求項２】
前記ベースは、散熱体であることを特徴とする請求項１に記載の両用発光ダイオード照明灯具。
【請求項３】
前記収容設置溝両側には、それぞれ１個の側面封鎖蓋を結合することを特徴とする請求項１に記載の両用発光ダイオード照明灯具。
【請求項４】
前記側面封鎖蓋下端には、１対の連結リブ片を設置し、前記連結リブ片は、前記収容設置溝に嵌入することを特徴とする請求項３に記載の両用発光ダイオード照明灯具。
【請求項５】
前記側面封鎖蓋には、開口を設置することを特徴とする請求項３に記載の両用発光ダイオード照明灯具。
【請求項６】
前記開口は、封鎖キャップにより封鎖されることを特徴とする請求項５に記載の両用発光ダイオード照明灯具。
【請求項７】
前記ベース頂点面には、少なくとも１個の光透過ランプシェードを結合することを特徴とする請求項１に記載の両用発光ダイオード照明灯具。
【請求項８】
前記ベース両端の外部には、それぞれ１個の溝を設置することを特徴とする請求項１に記載の両用発光ダイオード照明灯具。
【請求項９】
前記溝両端の上下には、少なくとも１個の歯をそれぞれ形成することを特徴とする請求項８に記載の両用発光ダイオード照明灯具。
【請求項１０】
前記ベース底面には、少なくとも１個の嵌合溝を設置することを特徴とする請求項１に記載の両用発光ダイオード照明灯具。
【請求項１１】
前記嵌合溝内には、少なくとも１対の嵌入口を形成することを特徴とする請求項１０に記載の両用発光ダイオード照明灯具。
【請求項１２】
前記ＬＥＤ発光モジュールは、シングル多結晶封入ＬＥＤチップであることを特徴とする請求項１に記載の両用発光ダイオード照明灯具。
【請求項１３】
前記ＬＥＤ発光モジュールは、少なくとも１個の回路板、複数のシングル単結晶発光ダイオードを備え、
前記少なくとも１個の回路板は、前記ベースの連結部上に結合し、前記回路板表面には、発光ダイオード電源連結配線を敷設し、
前記複数のシングル単結晶発光ダイオードの各シングル単結晶発光ダイオードは、前記回路板の上にそれぞれ結合し、これにより前記各シングル単結晶発光ダイオードの電源配線は、前記回路板を通して連結され、こうして前記各シングル単結晶発光ダイオードはそれぞれ点光源を発することを特徴とする請求項１に記載の両用発光ダイオード照明灯具。
【請求項１４】
前記制御回路は、少なくとも１個の制御線を備え、
前記制御線は、前記ＬＥＤ発光モジュールに連結することを特徴とする請求項１に記載の両用発光ダイオード照明灯具。
【請求項１５】
前記制御回路の電源入力端は、前記少なくとも１対の電源線を引接することを特徴とする請求項１に記載の両用発光ダイオード照明灯具。
【請求項１６】
前記電源線末端は、少なくとも１個の第一コネクターに連結することを特徴とする請求項１３に記載の両用発光ダイオード照明灯具。
【請求項１７】
前記制御回路は、前記ベース内部の収容設置溝中に収容設置されることを特徴とする請求項１に記載の両用発光ダイオード照明灯具。
【請求項１８】
前記電気コネクター両端には、１対の連接ピン、及び１対の連接導線を設置し、前記連接ピンと前記連接導線とは、対応して連結し、
しかも、前記連接導線は、前記制御回路の電源入力端に連結することを特徴とする請求項１に記載の両用発光ダイオード照明灯具。
【請求項１９】
前記電気コネクターの外側には、少なくとも１個のネジ孔を設置することを特徴とする請求項１に記載の両用発光ダイオード照明灯具。
【請求項２０】
前記電気コネクターの外部は、固定カバーにより覆うことを特徴とする請求項１に記載の両用発光ダイオード照明灯具。
【請求項２１】
前記固定カバーの前端には、開口を設置することを特徴とする請求項１８に記載の両用発光ダイオード照明灯具。
【請求項２２】
前記固定カバーの後端には、少なくとも１対の固定リブ片を設置することを特徴とする請求項１８に記載の両用発光ダイオード照明灯具。
【請求項２３】
前記固定カバーの外部には、少なくとも１個の溝を設置することを特徴とする請求項１８に記載の両用発光ダイオード照明灯具。
【請求項２４】
前記押し動かし装置は、少なくとも１個の連棒、少なくとも１個の押しボタンを備え、
前記少なくとも１個の連棒の一端は、前記ベースを通り抜け、前記電気コネクター片側に対応して連結し、これにより前記連棒一端は、前記電気コネクターに連結し、
前記少なくとも１個の押しボタンは、前記連棒一端に連結し、これにより前記押しボタンは、押し棒を連動して、前記電気コネクターを押し、直線軌道運動を行わせることを特徴とする請求項１に記載の両用発光ダイオード照明灯具。
【請求項２５】
前記押し動かし装置の連棒は、弾性体であることを特徴とする請求項２２に記載の両用発光ダイオード照明灯具。
【請求項２６】
前記押し動かし装置の連棒一端には、ネジヤマ部を設置し、
前記ネジヤマ部は、前記電気コネクター片側に螺設して結合することを特徴とする請求項２２に記載の両用発光ダイオード照明灯具。
【請求項２７】
少なくとも１個のベース、少なくとも１個のＬＥＤ発光モジュール、少なくとも１個の制御回路、少なくとも１対の電気コネクター、少なくとも１対のランプジョイントを備え、前記ベースは、頂点面に、少なくとも１個の連結部を形成し、内部には、少なくとも１個の収容設置溝を形成し、
前記少なくとも１個のＬＥＤ発光モジュールは、前記ベースの連結部上に結合され、
前記少なくとも１個の制御回路は、ＬＥＤの点灯及び消灯の制御、電源転換の機能を備え、前記制御回路は、前記ベースに結合し、前記制御回路は、前記ＬＥＤ発光モジュールに連結し、これにより前記ＬＥＤ発光モジュールは、前記制御回路の制御を受け、点灯／消灯操作を行い、前記制御回路は、前記ＬＥＤ発光モジュールが必要な直流作動電源を提供し、こうして前記ＬＥＤ発光モジュールは発光し、
前記少なくとも１対の電気コネクターは、前記ベース内部の収容設置溝両端に収容設置し、前記電気コネクター一端は、前記制御回路の電源入力端に連結し、これにより前記電気コネクターは、外部の交流、或いは直流電源に連結し、こうして交流、或いは直流電源を、前記制御回路の電源入力端に提供し、前記電気コネクター反対端には、１対の連接ピンを設置し、しかも前記電気コネクター外部は、外カバーにより覆い、前記外カバー前端には、少なくとも１個の開口を設置し、前記開口と前記連接ピンとは、電源コンセントのような構造を形成し、こうして交流或いは直流電源を連結し、
前記少なくとも１対のランプジョイントは、一端に少なくとも１対の挿入孔を設置し、前記挿入孔には、前記電気コネクターの連接ピンを対応して連結し、しかも前記ランプジョイントの反対端には、少なくとも１対のピンを設置し、前記ピンは、蛍光灯照明灯具のランプ連接台内に対応して連接することを特徴とする両用発光ダイオード照明灯具。
【請求項２８】
前記ベースは、散熱体であることを特徴とする請求項２５に記載の両用発光ダイオード照明灯具。
【請求項２９】
前記ベース頂点面には、少なくとも１個のランプシェードを結合することを特徴とする請求項２５に記載の両用発光ダイオード照明灯具。
【請求項３０】
前記ＬＥＤ発光モジュールは、シングル多結晶封入ＬＥＤチップであることを特徴とする請求項２５に記載の両用発光ダイオード照明灯具。
【請求項３１】
前記ＬＥＤ発光モジュールは、少なくとも１個の回路板、複数のシングル単結晶発光ダイオードを備え、
前記少なくとも１個の回路板は、前記ベースの連結部上に結合し、前記回路板表面には、発光ダイオード電源連結配線を敷設し、
前記複数のシングル単結晶発光ダイオードの各シングル単結晶発光ダイオードは、前記回路板の上にそれぞれ結合し、これにより前記各シングル単結晶発光ダイオードの電源配線は、前記回路板を通して連結され、こうして前記各シングル単結晶発光ダイオードはそれぞれ点光源を発することを特徴とする請求項２５に記載の両用発光ダイオード照明灯具。
【請求項３２】
前記制御回路は、少なくとも１本の制御線を備え、
前記制御線は、前記ＬＥＤ発光モジュールに連結することを特徴とする請求項２５に記載の両用発光ダイオード照明灯具。
【請求項３３】
前記制御回路の電源入力端は、少なくとも１対の電源線に引接することを特徴とする請求項２５に記載の両用発光ダイオード照明灯具。
【請求項３４】
前記制御回路は、前記ベース内部の収容設置溝中に収容設置することを特徴とする請求項２５に記載の両用発光ダイオード照明灯具。
【請求項３５】
前記ベース底面には、少なくとも１個の嵌合溝を設置することを特徴とする請求項２７に記載の両用発光ダイオード照明灯具。
【請求項３６】
前記嵌合溝内には、少なくとも１対の嵌入口を形成することを特徴とする請求項３５に記載の両用発光ダイオード照明灯具。
【考案の詳細な説明】
【技術分野】
【０００１】
本考案は両用発光ダイオード照明灯具に関し、特に省エネ照明灯具に応用され、押し動かし装置を備え電気コネクター装置を押し動かし、これにより照明灯具は独立した照明灯具、或いはランプとして、二種の用途に用いられる両用発光ダイオード照明灯具に関する。
【背景技術】
【０００２】
従来の省エネ照明灯具は、発光ダイオードを主要な発光源部品とする。
多くの発光ダイオード照明灯具或いは照明灯部品は、次々に開発され市場に投入されているが、従来の発光ダイオード照明装置は、機能が別々な発光ダイオード照明灯具と照明灯部品として設計されている。
そのため、発光ダイオード蛍光灯具の外殻機構と電源回路、及び発光ダイオードランプの照明灯部品の外殻機構と電源回路のように、発光ダイオード照明灯具と灯部品の機構を別々に設計する必要がある。
これにより、発光ダイオード照明灯具と照明灯部品の開発と設計コストは高くなり、製品のコストパフォーマンスが低くなってしまい、省エネ照明灯具の普及の足かせとなっている。
また、使用者は、発光ダイオード照明灯具、或いは照明灯部品を使用する際には、別々に購入しなければならず、しかも発光ダイオード照明灯具、或いは照明灯部品のどちらかが損壊しても、相互に入れ替えて使用することができず、使用において不便である。
【０００３】
特許文献１が開示する実用新案である「発光ダイオードランプ」は、２個のパワーサプライ回路を、ランプ両端の挿入接続端子に可動状態で連結するため、パワーサプライ回路の損壊時には、便利に取り替えることができる。
但し、やはりランプとしての単一機能としてしか使用することができない。
【０００４】
特許文献２が開示する特許案である「ＬＥＤ灯式ランプ構造」は、若干の発光ダイオードランプユニットを直列接続し、違った幾何形状のランプデザインを形成し、さまざまな照明灯具に使用することができる。
但し、これも同様に、ランプとしてしか用いることができない。
【０００５】
特許文献３が開示する「Retrofit LED Lamp for fluorescent fixtures without ballast」案、特許文献４が開示する「LED Lighting Unit Applied to a Fluorescent Lighting Fixture」案、特許文献５が開示する「LED replacement for fluorescent lighting」案においてはすべて、ＬＥＤ部品、或いはモジュールにより組成する蛍光灯ランプ構造のようなＬＥＤランプを掲示する。
但し、これも同様に、ランプとしての使用機能しか持たず、従来の蛍光灯照明灯具を用いて使用しなければならない。  
【０００６】
上記した従来の発光ダイオード照明灯具或いはランプは、外殻機構と電源回路を単独に設計及び開発する必要があるため、それぞれの機能が、照明灯具、或いはランプの単一に限定され、或いは２組のパワーサプライシステム、及び特別設計の蛍光灯照明灯具機構を使用する必要があり、そうでなければ、照明灯具或いはランプとして使用することはできない。
そのため、製品の設計及び生産コストを拡大させてしまう他、産業利用の普及性と利便性を満たすことができていない。
よって、本考案は、従来の構造の上記した欠点に鑑み、機構と電源回路の設計及び生産コストを引き下げ、また単独で照明灯具として使用でき、或いは従来の蛍光灯ランプと同じように使用できる機能を備える発光ダイオード照明灯具とランプの機能を兼ね備える照明灯具を開発するものである。
【先行技術文献】
【特許文献】
【０００７】
【特許文献１】台湾特許公報第Ｍ３７３４３７号明細書
【特許文献２】台湾特許公報第Ｉ３１９９１８号明細書
【特許文献３】米国発明特許公開第２００７/０２２８９９９号明細書
【特許文献４】米国発明特許公開第２００７/０２２３２２５号明細書
【特許文献５】米国発明特許第７，１１４，８３０号明細書
【考案の概要】
【考案が解決しようとする課題】
【０００８】
本考案が解決しようとする課題は、少なくとも１個のベース、ＬＥＤ発光モジュール、制御回路、少なくとも１対の電気コネクター、押し動かし装置を備え、ベースは散熱体で、ＬＥＤ発光モジュールはベースに結合され、ベースはＬＥＤ発光モジュールを固定して散熱し、制御回路はベースに結合し、しかも制御回路はＬＥＤ発光モジュールの電源配線を連結し、これによりＬＥＤ発光モジュールは点灯、消灯の制御と電源を提供され、電気コネクターはベース両端にそれぞれ設置し、外部電源と連結され、しかも各電気コネクターは制御回路の電源入力端を連結し、押し動かし装置はベース両端にそれぞれ設置し、しかも押し動かし装置は各電気コネクターにそれぞれ連接し、これにより電気コネクターを押し、ベース内に戻し独立した照明灯具を形成し、或いは電気コネクターはベース外へと伸び出て、ランプを形成し、こうして蛍光灯照明灯具中に連結して使用でき、独立照明灯具とランプに両用される両用発光ダイオード照明灯具を提供することである。
【課題を解決するための手段】
【０００９】
上記課題を解決するため、本考案は下記の両用発光ダイオード照明灯具を提供する。
両用発光ダイオード照明灯具は、ベース、ＬＥＤ発光モジュール、制御回路により組成する共同の照明灯具及びランプの共用機構及び電源回路で、
さらに、該押し動かし装置により、電気コネクターを押して、ベース内に戻し、或いはベース外へと伸び出させ、
これにより、電気コネクターは、単独の照明灯具として使用する電源連接台を提供し、或いはランプとして使用する際には、従来の蛍光灯照明灯具中のランプコネクターと連結するコネクターとすることができ、
こうして、製品の設計と生産コストを大幅に低下させ、照明灯具の利便性と多重機能を向上させることができる。
【考案の効果】
【００１０】
本考案の両用発光ダイオード照明灯具は、省エネ照明灯具に応用され、押し動かし装置を備え電気コネクター装置を押し動かし、これにより照明灯具は独立した照明灯具、或いはランプとして、二種の用途に用いられる。
【図面の簡単な説明】
【００１１】
【図１】本考案両用発光ダイオード照明灯具第一実施例の立体外観構造図である。
【図２】図１の立体分解構造図である。
【図３】図１中A部分の局部拡大図である。
【図４】本考案両用発光ダイオード照明灯具第二実施例の立体外観構造図である。
【図５】図４の立体分解構造図である。
【図６】本考案両用発光ダイオード照明灯具の第一応用例図である。
【図７】本考案両用発光ダイオード照明灯具第三実施例図である。
【図８】本考案両用発光ダイオード照明灯具の第二応用例図である。
【図９】本考案両用発光ダイオード照明灯具の第三応用例図である。
【図１０】本考案両用発光ダイオード照明灯具の第四実施例図である。
【図１１】本考案両用発光ダイオード照明灯具の第五実施例図である。
【図１２】本考案両用発光ダイオード照明灯具の第六実施例図である。
【図１３】図１２の立体分解構造図である。
【図１４】図１２の両用発光ダイオード照明灯具を、方形天井嵌め込み式蛍光灯照明灯具に応用する状態を示す底面図である。
【図１５】本考案両用発光ダイオード照明灯具の第七実施例図である。
【図１６】図１５の立体分解構造図である。
【図１７】図１５の仰視図である。
【図１８】図１５の両用発光ダイオード照明灯具を、蛍光灯照明灯具に応用する状態を示す側面図である。
【図１９】図１５の両用発光ダイオード照明灯具を、独立した照明灯具に応用する状態を示す立体図である。
【図２０】図１９の両用発光ダイオード照明灯具を、天井に固定し応用する状態を示す側面図である。
【考案を実施するための形態】
【００１２】
以下に図面を参照しながら本考案を実施するための最良の形態について詳細に説明する。
【００１３】
図１、２、３に示すように、本考案両用発光ダイオード照明灯具の第一実施例の両用発光ダイオード照明灯具１００は、散熱体により構成する少なくとも１個のベース１０、少なくとも１個のＬＥＤ発光モジュール２０、少なくとも１個の制御回路３０、少なくとも１対の電気コネクター４０、少なくとも１個の押し動かし装置５０を備える。
【００１４】
ベース１０の形状に制限はなく、本考案第一実施例では、中空矩形のアルミプレス成型によるベース１０を例とする。
ベース１０の頂点面には、少なくとも１個の連結部１１を形成する。
連結部１１上には、若干のネジ孔１１１を設置する。
ベース１０内部には、少なくとも１個の収容設置溝１２を形成する。
収容設置溝１２両端には、開口１２１、１２２をそれぞれ形成する。
ベース１０外部両端には、それぞれ溝１２３を形成する。
溝１２３両端の上下には、少なくとも１個の歯１２３Aをそれぞれ形成する(図３参照)。
【００１５】
少なくとも１個のＬＥＤ発光モジュール２０は、１個の多結晶封入ＬＥＤチップを例とする。
ＬＥＤ発光モジュール２０表面には、若干の穿孔２１を設置する。
各穿孔２１は、ベース１０の各ネジ孔１１１に対応し、ボルト２２を通して螺合する。
これにより、ＬＥＤ発光モジュール２０は、ベース１０の連結部１１上に固定され、ベース１０全体により、ＬＥＤ発光モジュール２０に散熱の機能を提供する。
【００１６】
少なくとも１個の制御回路３０は、ベース１０内部の収容設置溝１２中に収容設置し、ＬＥＤの点灯及び消灯の制御、電源転換の機能を備える。
電源転換機能は、交流対直流転換、或いは直流対直流転換を含む。
制御回路３０は、ベース１０の収容設置溝１２内に収容設置する。
制御回路３０は、少なくとも１個の制御線３１を備える。
制御線３１は、ベース１０の収容設置溝１２の任意の開口１２１、或いは１２２を通り抜けて、ＬＥＤ発光モジュール２０まで連結する。
これにより、ＬＥＤ発光モジュール２０は、制御回路３０の制御を受け、点灯／消灯操作を行い、制御回路３０は、ＬＥＤ発光モジュール２０が必要な直流作動電源を提供し、こうしてＬＥＤ発光モジュール２０は、一面の光線を発することができる。
【００１７】
上記したＬＥＤ発光モジュール２０とベース１０との間の固定方式は、ボルト２２をベース１０のネジ孔１１１に通して螺合する方式に限定しない。
例えば、ＬＥＤ発光モジュール２０は、ベース１０の連結部１１に直接封入する等価連結構造することができる。
或いは、制御回路３０をベース１０に固定する構造も、ベース１０を収容設置溝１２内に収容設置する構造に限定するものではない。
さらに、制御回路３０の制御線３１が、ベース１０を通る構造も、収容設置溝１２一端からの通過に限定するものではなく、他の等価組合せ、及び固定方式、或いは配線構造とすることができる。
上記したいずれも、本考案の精神に基づく変更であり、すべて本考案の保護範囲に含むものとする。
【００１８】
少なくとも１対の電気コネクター４０は、ベース１０内部の収容設置溝１２両端に収容設置する。
電気コネクター４０両端には、１対の連接ピン４１、１対の連接導線４２を設置する(図２参照)。
各連接ピン４１と各連接導線４２との間は、対応連通状態を呈する。
連接導線４２は、制御回路３０の電源入力端にそれぞれ連結する。
これにより、連接ピン４１は外に対して、交流市内電力、或いは直流電源に連結する。
こうして、交流市内電力、或いは直流電源を、制御回路３０の電源入力端に提供する。
電気コネクター４０外部片側には、少なくとも１個のネジ孔４３を設置する。
【００１９】
少なくとも１個の押し動かし装置５０は、本考案中では、直線弾性押しボタンを例とする。
各押し動かし装置５０は、連棒５１、押しボタン５２を備える。
連棒５１は、ゴム棒、或いはプラスチック棒などの弾性体により構成し、しかも一端には、ネジヤマ部５１１を設置する。
ネジヤマ部５１１は、ベース１０一端の溝１２３を通過し、電気コネクター４０片側のネジ孔４３に対応して螺合する。
これにより、連棒５１一端には、電気コネクター４０を連結する。
押しボタン５２は、連棒５１の反対端に連結する。
これにより、押しボタン５２は、押し動かし装置５０を連動し、溝１２３両端の極限位置間の直線軌道に沿ってスライド動する。
【００２０】
こうして、電気コネクター４０を連動し、ベース１０の収容設置溝１２両端内部に戻し、或いは収容設置溝１２両端の開口１２１及び１２２よりそれぞれ伸び出させる。
言い換えれば、同時に電気コネクター４０の連接ピン４１を連動し、ベース１０の収容設置溝１２内部に戻らせ、或いは電気コネクター４０の連接ピン４１は、ベース１０の収容設置溝１２両端の開口１２１及び１２２から、ベース１０両端の外へと伸び出る。
連棒５１は、弾性体が溝１２３両端の極限位置において、歯１２３Aの係合を受けて停止し定位される。
これにより、歯１２３Aは、連棒５１と電気コネクター４０位置を定位する機能を備える。
【００２１】
上記した押し動かし装置５０の組成は、連棒５１及び押しボタン５２により組成する直線弾性押しボタン形態に限定するものではなく、他の等価の直線押し動かし装置とすることができる。
例えば、ダイヤルにより歯車がかみ合う棒状歯車を連動し、電気コネクター４０を連動し、ベース１０の収容設置溝１２両端において、直線進出、或いは後退運動を行うなどの等価押し動かし装置或いは機構とすることができ、これらもすべて、本考案の保護範囲に含むものとする。
【００２２】
図４、５に示すように、本考案の両用発光ダイオード照明灯具１００の第二実施例では、複数点光源の発光モジュールである。
ＬＥＤ発光モジュール２０は、少なくとも１個の回路板２３、複数のシングル単結晶発光ダイオード２４により組成する。
回路板２３上には、複数の固定孔２３１を設置し、ベース１０の連結部１１の各ネジ孔１１１に対応し、ボルト２３１Aにより、ベース１０の連結部１１上に螺合して固定する。
回路板２３表面には、発光ダイオード電源連結配線を敷設する。
各シングル単結晶発光ダイオード２４は、回路板２３上にそれぞれ結合する。
これにより、各シングル単結晶発光ダイオード２４の電源配線は、回路板２３を通して連結され、こうして各シングル単結晶発光ダイオード２４は、それぞれ作動電源を獲得し、点光源を発し、ＬＥＤ発光モジュール２０全体は、複数の点光源である光を発する。
【００２３】
本考案の両用発光ダイオード照明灯具１００の第一応用例である図６は、２個の電気コネクター４０の連接ピン４１が、２個の押し動かし装置５０により、ベース１０の収容設置溝１２内に押し戻される状態を示す。
連接ピン４１は、少なくとも１個の電源ケーブル２００一端の連接プラグ２１０により連結する。
これにより、電源ケーブル２００反対端のプラグ２２０は、市内電力コンセント、或いは直流電源に挿入して接続され、交流市内電源、或いは直流電源を得ることができる。
こうして、制御回路３０は、交流市内電源、或いは直流電源を得ることができ、これにより制御回路３０は、ＬＥＤ発光モジュール２０の点灯を制御することができ、両用発光ダイオード照明灯具１００は、単独の省エネ照明灯具として使用される。
電源ケーブル２００を連結していない反対の電気コネクター４０の連接ピン４１は、多数の両用発光ダイオード照明灯具１００間が、単独省エネ照明灯具とされる際の電源並列接続に用いられる。
【００２４】
本考案の両用発光ダイオード照明灯具１００の第三実施例を示す図７は、本考案の両用発光ダイオード照明灯具１００が、図６に示す単独省エネ照明灯具として応用される状態において、少なくとも１個のランプシェード６０が、ベース１０上に結合し、ＬＥＤ発光モジュール２０を覆う様子を示す。
ランプシェード６０は、ＬＥＤ発光モジュール２０発光の面光源に光学投射を調整する機能を提供する。
１対の側面封鎖蓋７０は、絶縁体で、ベース１０収容設置溝１２両端の開口１２１、１２２とランプシェード６０両側との間を封鎖する。
側面封鎖蓋７０下端には、１対の連結リブ片７１と開口７２を設置する。
連結リブ片７１は、ベース１０の収容設置溝１２両端の開口１２１及び１２２内に、対応して嵌めて結合する。
内、片側の側面封鎖蓋の開口７２には、電源ケーブル２００一端の連接プラグ２１０を挿入して、電気コネクター４０の連接ピン４１に連結し、連接プラグ２１０定位と電気絶縁の機能を備える。
側面封鎖蓋７０の開口７２を使用しない時には、封鎖キャップ７２１によりふさぐ。
【００２５】
本考案の両用発光ダイオード照明灯具１００の第二応用例である図８は、２個の電気コネクター４０の連接ピン４１が、２個の押し動かし装置５０により押され、ベース１０の収容設置溝１２両端の開口１２１及び１２２外に出る状態を示す。
これにより、連接ピン４１は、蛍光灯照明灯具３００両端のランプコネクター３１０の挿入孔３１１中に対応して連結され、両用発光ダイオード照明灯具１００全体は、ランプとして使用される。
連接ピン４１により、蛍光灯照明灯具３００が提供する交流市内電源は制御回路３０へと伝送され、制御回路３０により、ＬＥＤ発光モジュール２０の点灯を制御し、省エネランプの発光機能を形成することができる。
【００２６】
本考案の両用発光ダイオード照明灯具１００の第三応用例である図９は、本考案の両用発光ダイオード照明灯具１００が図８に示す応用により、ランプ用としての操作状態である時、複数の本考案の両用発光ダイオード照明灯具１００を、方形天井嵌め込み式蛍光灯照明灯具４００の各ランプ連接台４１０の挿入孔４１１内に連結する状態を示す。
押し動かし装置５０の簡単な操作により、両用発光ダイオード照明灯具１００を交換或いは設置することができ、さらには両用発光ダイオード照明灯具１００を、単独省エネ照明灯具或いはランプとして自由に調整して使用でき、こうして本考案のフレキシブルな応用機能と産業上の利用価値を高めることができる。
【００２７】
本考案の両用発光ダイオード照明灯具１００の第四実施例を示す図１０は、ランプシェード６０がベース１０の頂点に結合し、２個の電気コネクター４０外部は、固定カバー４４によりそれぞれ覆う様子を掲示する。
固定カバー４４前端には、少なくとも１個の開口４４１を設置する。
開口４４１は、電気コネクター４０の連接ピン４１位置に対応し、固定カバー４４後端には、１対の固定リブ片４４２を設置する。
固定リブ片４４２は、ベース１０の収容設置溝１２両端の開口１２１及び１２２位置に嵌めて設置する。
これにより、固定カバー４４は、ベース１０の収容設置溝１２両端に連結する。
固定カバー４４は、外部に、少なくとも１個の溝４４３を設置する。
溝４４３には、押し動かし装置５０の連棒５１一端のネジヤマ部５１１を通し、電気コネクター４０のネジ孔４３に螺合する。
これにより、押し動かし装置５０の連棒５１は、溝４４３の直線軌道に沿って、動かされ、電気コネクター４０の連接ピン４１は、固定カバー４４の開口４４１より、伸び出し、或いは固定カバー４４の開口４４１に戻る。
こうして同様に、図１に示すランプと単独照明灯具両用の機能を達成することができる。
【００２８】
本第四実施例は、さらにもう一つの機能を有する。
それは、国によって異なるランプコネクターの規格に応じて、異なる規格形態の電気コネクター４０を対応させ、固定カバー４４により覆うことで、単一部品モジュールを形成することである。
こうして、ベース１０に連結し、本考案の両用発光ダイオード照明灯具１００製品を、モジュール化して組み立て生産する際に有利である。
【００２９】
図１１に示す、本考案両用発光ダイオード照明灯具１００第五実施例と、図１０に示す第四実施例との差異は、ベース１０の収容設置溝１２内部に位置する制御回路３０電源入力端において、少なくとも１対の電源線３２を引き入れ接続する点である。
電源線３２末端は、少なくとも１個の第一コネクター３２１に連結し、電気コネクター４０の連接導線４２末端は、少なくとも１個の第二コネクター４２１に連接する。
第一コネクター３２１と第二コネクター４２１との間の連結により、電源線３２と連接導線４２とは連結する。
これにより、電気コネクター４０と制御回路３０との間では、迅速な連結が行われる。
【００３０】
すなわち、国によって違うランプコネクター規格に応じて、電気コネクター４０と固定カバー４４をベース１０両端に迅速に組合せ、制御回路３０と迅速に連結することができる。
こうして、モジュール化した製品を生産するという機能を、同様に達成することができる。
本考案の両用発光ダイオード照明灯具１００を独立照明灯具として使用する際には、図６に示す電源ケーブル２００一端の連接プラグ２１０により、電気コネクター４０の連接ピン４１に連結し、交流市内電力、或いは直流電源をインプットすることができる。
或いは、本考案の両用発光ダイオード照明灯具１００を図８に示すようにランプとして使用する際には、蛍光灯照明灯具３００両端に連結するランプコネクター３１０を応用し、これにより電気コネクター４０の連接ピン４１は、交流市内電力をインプットすることができる。
すなわち、図１１に示す第一コネクター３２１と第二コネクター４２１とを、便利かつ迅速に連結することにより、規格の異なる電気コネクター４０と制御回路３０との間で、迅速かつ便利にモジュール化して連結することができる。
【００３１】
本考案の両用発光ダイオード照明灯具１００の第六実施例である図１２、１３、１４に示すように、ランプシェード６０は、ベース１０の頂点に結合する。
２個の電気コネクター４０外部は、外カバー４５によりそれぞれ覆う。
外カバー４５前端には、少なくとも１個の開口４５１、少なくとも１対のランプジョイント４６を設置する。
開口４５１は、電気コネクター４０の連接ピン４１位置に対応し、外カバー４５後端には、１対の固定リブ片４５２を設置する。
固定リブ片４５２は、ベース１０の収容設置溝１２両端の開口１２１及び１２２位置に嵌めて接続する。
これにより、外カバー４５は、ベース１０の収容設置溝１２両端に連結し、少なくとも１対のランプジョイント４６一端には、少なくとも１対の挿入孔４６１を設置する。
挿入孔４６１は、電気コネクター４０の連接ピン４１に対応して連結し、しかもランプジョイント４６の反対端には、少なくとも１対のピン４６２を設置する。
ピン４６２は、図１４に示す方形天井嵌め込み式蛍光灯照明灯具４００のランプ連接台４１０の挿入孔４１１内に、対応して連接する。
こうして、両用発光ダイオード照明灯具１００全体は、ランプとして使用される。
【００３２】
両用発光ダイオード照明灯具１００を単独照明灯具として使用する際には、ベース１０両端に連結する電気コネクター４０のランプジョイント４６を抜くだけでよい。
これにより、外カバー４５の開口４５１と電気コネクター４０の連接ピン４１とは、電源連接コンセントのような形態を共同で形成し、電源ケーブル２００一端の連接プラグ２１０を挿入して連結し(図１２、１３参照)、電源ケーブル２００反対端のプラグ２２０により、市内電力コンセント、或いは直流電源に挿入して接続され、交流市内電力或いは直流電源を得ることができ、単独照明灯具としての使用機能を形成する。
【００３３】
図１５、１６、１７、１８は、本考案両用発光ダイオード照明灯具１００の第七実施例を示す。
これらと上記した第四実施例との差は、ベース１０の断面とランプシェード６０の断面が円形状に組み合わされる点である。
ベース１０とランプシェード６０との組合せは、円柱管のような形状を形成し、しかも固定カバー４４の断面形状は円形で、これにより固定カバー４４をベース１０両端に結合する時、ベース１０とランプシェード６０とは、ランプのような形状を共同で形成する。
押し動かし装置５０’は、電気コネクター４０と一体に結合し、ベース１０の底面には、少なくとも１個の嵌合溝１３を形成する(図１７参照)。
嵌合溝１３中には、少なくとも１対の嵌入口１３１を形成する。
電気コネクター４０が、押し動かし装置５０’をにより外へと押し出されると、連接ピン４１は、固定カバー４４の開口４４１外へと突き抜け、ランプ連接ピンのような構造を形成する。
これにより、両用発光ダイオード照明灯具１００は、両端の電気コネクター４０の連接ピン４１を通して、蛍光灯照明灯具３００両端のランプコネクター３１０の挿入孔３１１中に嵌入され(図１８参照)、蛍光灯照明灯ランプとしての使用状態を形成する。
【００３４】
本考案両用発光ダイオード照明灯具１００の第七実施例である図１９、２０に示すように、独立した照明灯具として使用する時には、少なくとも１対の固定ネジ部品５００により、先ず天井６００に螺合して固定する。
固定ネジ部品５００のネジヘッド５１０は、下を向き、ベース１０底面の嵌合溝１３の１対の嵌入口１３１にネジヘッド５１０を嵌入する。
さらに、両用発光ダイオード照明灯具１００全体を、右へと押す(図２０に示す矢印方向参照)。
これにより、ネジヘッド５１０は、嵌合溝１３に嵌め入れる。
ネジヘッド５１０の直径は、嵌合溝１３の幅より大きいため、ベース１０の嵌合溝１３とネジヘッド５１０とは、嵌り組み合わされ結合する。
これにより、両用発光ダイオード照明灯具１００全体を、天井６００に固定し、さらに押し動かし装置５０’により押し動かし、電気コネクター４０と連接ピン４１を、固定カバー４４の開口４４１内へと戻す。
こうして、連接ピン４１と固定カバー４４の開口４４１とは、コンセントの構造を形成し、電源ケーブル２００の連接プラグ２１０を連接することができる。
これにより、交流市内電力を引き入れ、こうして両用発光ダイオード照明灯具１００は、独立した照明灯具としての使用状態を形成する。
【００３５】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００３６】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３７】
１００  両用発光ダイオード照明灯具
１０  ベース
１１  連結部
１１１  ネジ孔
１２  収容設置溝
１２１  開口
１２２  開口
１２３  溝
１２３A  歯
１３  嵌合溝
１３１  嵌入口
２０  ＬＥＤ発光モジュール
２１  穿孔
２１０  連接プラグ
２２  ボルト
２２０  プラグ
２３  回路板
２３１  固定孔
２３１A  ボルト
２４  シングル単結晶発光ダイオード
３０  制御回路
３１  制御線
３２  電源線
３２１  第一コネクター
４０  電気コネクター
４１  連接ピン
４２  連接導線
４２１  第二コネクター
４３  ネジ孔
４４  固定カバー
４４１  開口
４４２  固定リブ片
４４３  溝
４５  外カバー
４５１  開口
４５２  固定リブ片
４６  ランプジョイント
４６１  挿入孔
４６２  ピン
５０  押し動かし装置
５０’   押し動かし装置
５１  連棒
５１１  ネジヤマ部
５２  押しボタン
６０  ランプシェード
７０  側面封鎖蓋
７１  連結リブ片
７２  開口
７２１  封鎖キャップ
２００  電源ケーブル
３００  蛍光灯照明灯具
３１０  ランプコネクター
３１１  挿入孔
４００  方形天井嵌め込み式蛍光灯照明灯具
４１０  ランプ連接台
４１１  挿入孔
５００  固定ネジ部品
５１０  ネジヘッド  
６００  天井  
【図１】
0003165296.tif 000003
【図２】
0003165296.tif 000004
【図３】
0003165296.tif 000005
【図４】
0003165296.tif 000006
【図５】
0003165296.tif 000007
【図６】
0003165296.tif 000008
【図７】
0003165296.tif 000009
【図８】
0003165296.tif 000010
【図９】
0003165296.tif 000011
【図１０】
0003165296.tif 000012
【図１１】
0003165296.tif 000013
【図１２】
0003165296.tif 000014
【図１３】
0003165296.tif 000015
【図１４】
0003165296.tif 000016
【図１５】
0003165296.tif 000017
【図１６】
0003165296.tif 000018
【図１７】
0003165296.tif 000019
【図１８】
0003165296.tif 000020
【図１９】
0003165296.tif 000021
【図２０】
0003165296.tif 000022